(57)【要約】【課題】冷蔵庫や冷凍庫に設置される冷却装置において、電気部品のリード線を冷却器の冷却フィンに接触させないようにする。【解決手段】冷却器１１の冷却フィン１２の上方部を跨ぐようにガイド部材２０を設け、このガイド部材２０に、除霜用ヒータ１４・サーモスタット１５・温度ヒューズ１６のリード線１４ａ，１５ａ，１６ａを取り付ける。ガイド部材２０の平面部２０ｂに形成した切り起こし部２１内にリード線を挿入したのち切り起こし部２１をわずかに押し下げるという簡単な作業で、リード線を容易には脱落しないよう保持できる。電気部品のリード線と冷却フィン１２との接触が確実に阻止されるから、リード線の被覆が破損して漏電・短絡・通電切断等の事故を招くおそれがない。除霜時に溶融水がリード線に付着しなくなるから、冷蔵庫や冷凍庫内を水で濡らすおそれがなくなる。【選択図】　　　図２
2004138335.tif 000002
【特許請求の範囲】
【請求項１】
複数枚の冷却フィンを有する冷却器と、サーモスタット，ヒューズ，ヒータ等の電気部品とを備える冷却装置において、前記冷却器における冷却フィンの上方部にガイド部材を配設し、前記電気部品のリード線を、前記ガイド部材の上表面に取り付けたことを特徴とする冷却装置。
【発明の詳細な説明】
【０００１】
【発明の属する技術分野】
本発明は、冷蔵庫や冷凍庫に設置される冷却装置に関し、詳しくは、サーモスタット，ヒューズ，ヒータ等の電気部品のリード線を、冷却器の冷却フィンに接触させないようにするための技術に関する。
【０００２】
【従来の技術】
図４は、冷蔵庫や冷凍庫に設置される冷却装置１の一例を示すものである。この冷却装置１は、多数の冷却フィン３を有する冷却器２と、冷気循環用ファン６とを備え、それぞれベース部材７に取り付けられている。冷却器２の表面には、除霜用のヒータ４，サーモスタット５、温度ヒューズ（図示せず）等の電気部品が設けられる。そして、それらのリード線４ａ，５ａは、冷却器２の周辺すなわち冷気の循環空間において、冷却フィン３や、除霜用ヒータ４，冷気循環用ファン６と接触することがないよう結束バンド８により束ねられ、冷媒循環用のパイプ９などに沿って外部と配線接続されている。
【０００３】
特許文献１には、冷蔵庫の冷却器において、リード線（電装コード）を冷却器（蒸発器）のフィンに接触させないようにするため、冷却器の支持装置に突起部を設け、この突起部にリード線を係止させて保持する構造が記載されている。
【０００４】
【特許文献１】
特公平７−１０４０９７号公報
【０００５】
【発明が解決しようとする課題】
図４に示す前記従来の冷却装置１にあっては、除霜用ヒータ４やサーモスタット５等の電気部品４，５の取付位置や結束バンド８の配置を、いつでも自由に設定できるわけではない。このためリード線４ａ，５ａを、冷却フィン３・除霜用ヒータ４・冷気循環用ファン６などと接触させないように配置するのが困難な場合がある。特に、図示する従来例では、除霜用ヒータ４及びサーモスタット５を冷却器２の冷却フィン３表面に取り付けているため、それらのリード線４ａ，５ａが冷却フィン３の端縁部と接触せざるを得なくなっている。それ故、冷却装置１の運転時に生じる振動により、リード線４ａ，５ａが冷却フィン３に絶え間なく衝突し、その結果、リード線４ａ，５ａの被覆が破れて短絡事故、漏電事故、断線事故等を起こすおそれがあった。また、リード線４ａ，５ａが冷却フィンに接触しているため、除霜時に溶け出た水がリード線４ａ，５ａを伝って、冷蔵庫内（冷凍庫）に流れ込んだり滴下したりする場合があった。
【０００６】
他方、特許文献１に記載の技術は、冷却器を立面部に設置する場合に適用されるものであり、図４に示すような水平面状の箇所へ設置するものに対して応用するのは難しい。
【０００７】
【課題を解決するための手段】
本発明が前記従来の課題を解決するために採用した冷却装置の特徴とするところは、複数枚の冷却フィンを有する冷却器と、サーモスタット，ヒューズ，ヒータ等の電気部品とを備えるものにおいて、前記冷却器における冷却フィンの上方部にガイド部材を配設し、前記電気部品のリード線を、前記ガイド部材の上表面に取り付けたことである。
【０００８】
かかる構成により、ガイド部材の上表面に取り付けたリード線は、冷却フィンとの接触が阻止されるから、リード線が損傷を受けて様々な事故を引き起こすのを、確実に防止することができる。
【０００９】
【発明の実施の形態】
［第１の実施形態］
図１乃至図３は本発明に係る冷却装置１０の一実施形態を示すものであって、図１は主要部の構成を分解して示す斜視図、図２は同冷却装置１０の主要部を示す斜視図、図３は同冷却装置１０の全体を示す斜視図である。図１に示す如く、本例の冷却装置１０は、複数枚の冷却フィン１２を冷媒循環パイプ１３でほぼ等間隔に連結して成る冷却器１１、該冷却器１１の表面に付着する霜を除去するための除霜用ヒータ１４、冷却器１１の温度変化に合わせてヒータ１４への通電を制御するサーモスタット１５、冷却器１１が異常温度になったときに通電を切断するための温度ヒューズ１６、冷気循環用のファン１８等を備えて成る。これら除霜用ヒータ１４・サーモスタット１５・温度ヒューズ１６は、図２のように冷却器１１表面に装着される。前記冷却器１１及びファン１８は、ベース部材１７に取り付けられる。なおベース部材１７は、除霜時に生成される融解水を排出するための排水部１７ａ及び排水傾斜部１７ｂを備えている。そして図３に示す如く、上述の主要部と、コンプレッサ３２，凝縮器ファン３３，凝縮器３４等とを支持盤３５上で組み付け付けることにより、冷却装置１０が構成されている。
【００１０】
本発明は、冷却器１１の冷却フィン１２の上方部を跨ぐようにガイド部材２０を設け、このガイド部材２０に、除霜用ヒータ１４・サーモスタット１５・温度ヒューズ１６等の電気部品のリード線１４ａ，１５ａ，１６ａを取り付けるようにしたところを特色としている。本例では、ガイド部材２０をほぼコ字型に形成し、両端のフランジ状部分２０ａで冷却フィン１２の両外側面を挟むように構成した。なおガイド部材２０の両端部に、冷却器１１の冷媒循環パイプ１３と同ピッチで、パイプ外径よりもわずかに大きいＵ字形の切欠２２を形成し、このＵ字形切欠２２に冷媒循環パイプ１３を挿入させるようにして、ガイド部材２０を取り付けてもよい。かかる構成により、ガイド部材２０を冷却器１１に組み付けるのが容易になる。
【００１１】
ガイド部材２０の平面部２０ｂには、適所に切り起こし部２１が形成される。この切り起こし部２１内にリード線を挿入したのち、切り起こし部２１をわずかに押し下げることにより、リード線が容易には脱落することがないよう保持することができる。すなわち、リード線の取付作業を非常に簡単に行える。
【００１２】
前記の如く構成した本例の冷却装置１０は、ガイド部材２０によって、冷却器１１に装着した除霜用ヒータ１４・サーモスタット１５・温度ヒューズ１６等のリード線１４ａ，１５ａ，１６ａが、冷却フィン１２と接触するのを確実に阻止できる。従って、装置１０が振動しても、リード線１４ａ，１５ａ，１６ａが冷却フィン１２に衝突することがないから、従来のようにリード線の被覆が破損して漏電・短絡・通電切断等の事故を招くおそれがない。また、ガイド部材２０は冷却器１１にの上方部に装着するから、リード線１４ａ，１５ａ，１６ａと除霜用ヒータ１４との接触が回避され、安全性が向上する。さらに、除霜時に溶融水がリード線１４ａ，１５ａ，１６ａに付着することもなくなるから、冷蔵庫や冷凍庫内を水で濡らすおそれもなくなる。
【００１３】
ところで図３の図（Ａ）に示すように、支持盤３５上に組み付けた冷却器１１の上方を、発泡スチロール等の断熱材３０で覆う構成とする場合、同図（Ｂ）に示す如く、断熱材３０の下面には、ガイド部材２０の上面に設けた切り起こし部２１及びリード線１４ａ，１５ａ，１６ａを収納するための凹溝３１を形成することが望ましい。なお、この凹溝３１の開口部は、ガイド部材２０の平面部２１で閉塞されるから、冷気を循環させる際に乱流を発生させることがなく、円滑な冷気の流れを形成するのに、障害とならない。
【００１４】
【発明の効果】
本発明に係る冷却装置は、ガイド部材によって、電気部品のリード線が冷却フィン及びヒータと接触するのを確実に阻止するから、リード線が破損して各種事故を招くのを防止する。また、除霜時に溶融水がリード線に付着するのを阻止するから、水で冷蔵庫又は冷凍庫内が濡れるのを防止できる。
【図面の簡単な説明】
【図１】本発明に係る冷却装置の一実施形態を示すものであって、主要部の構成を分解して示す斜視図である。
【図２】本発明に係る冷却装置の一実施形態を示すものであって、主要部の構成を示す斜視図である。
【図３】本発明に係る冷却装置の一実施形態を示すものであって、図（Ａ）は全体構成を示す斜視図、図（Ｂ）は要部の正面断面図である。
【図４】従来の冷却装置の一例を示す斜視図である。
【符号の説明】
１０…冷却装置　　１１…冷却器　１２…冷却フィン　１３…冷媒循環パイプ　１４…除霜用ヒータ　１４ａ…リード線　１５…サーモスタット　１５ａ…リード線　１６…温度ヒューズ　１６ａ…リード線　１７…ベース部材　１８…冷気循環用ファン　２０…ガイド部材　２０ａ…フランジ状部分　２０ｂ…平面部　２１…切り起こし部　２２…切欠　３０…断熱材　３１…凹溝
【図１】
2004138335.tif 000003
【図２】
2004138335.tif 000004
【図３】
2004138335.tif 000005
【図４】
2004138335.tif 000006